(57)【要約】【課題】  特定のプレゼンテーション資料作成ソフトウェアによって印刷された原稿の印刷レイアウトを正確に特定する。【解決手段】  レイアウト特定部３２は、スライド画像を生成する特定のプレゼンテーション資料作成ソフトウェアの複数の印刷レイアウトを示すレイアウトデータ２１に基づいて、画像読取装置１２により読み取られた原稿画像の印刷レイアウトを特定する。そして、スライド画像抽出部３３は、特定された印刷レイアウトに従って、原稿画像内のスライド画像を抽出し、出力処理部３４は、スライド画像抽出部３３により抽出されたスライド画像の出力処理として、抽出されたスライド画像を含む特定のプレゼンテーション資料作成ソフトウェアのデータファイルの生成、またはスライド画像の印刷を行う。【選択図】  図１
2016139869.tif 000002
【特許請求の範囲】
【請求項１】
スライド画像を生成する特定のプレゼンテーション資料作成ソフトウェアの複数の印刷レイアウトを示すレイアウトデータに基づいて、画像読取装置により読み取られた原稿画像の印刷レイアウトを特定するレイアウト特定部と、
特定された前記印刷レイアウトに従って、前記原稿画像内のスライド画像を抽出するスライド画像抽出部と、
前記スライド画像抽出部により抽出されたスライド画像の出力処理として、抽出された前記スライド画像を含む前記特定のプレゼンテーション資料作成ソフトウェアのデータファイルの生成、または前記スライド画像の印刷を行う出力処理部と、
を備えることを特徴とする画像処理装置。
【請求項２】
前記レイアウトデータは、前記特定のプレゼンテーション資料作成ソフトウェアにおいて特定の集約数の集約印刷が指定された場合の印刷レイアウトとして、前記特定の集約数と同数の前記スライド画像の領域情報と、前記スライド画像のそれぞれに関連付けられた特定の付属画像の領域情報とを含む印刷レイアウトを示し、
前記スライド画像抽出部は、前記レイアウトデータに基づいて前記原稿画像における前記付属画像を除外して、前記スライド画像を抽出すること、
を特徴とする請求項１記載の画像処理装置。
【請求項３】
前記レイアウトデータは、前記特定のプレゼンテーション資料作成ソフトウェアにおいて、前記スライド画像には含まれておらず前記スライド画像に関連付けられているテキストノートを、そのスライド画像とともに印刷するノート印刷の印刷レイアウトとして、前記スライド画像の領域情報と、前記スライド画像に関連付けられている前記テキストノートの領域情報とを含む印刷レイアウトを示し、
前記スライド画像抽出部は、前記レイアウトデータに基づいて前記原稿画像における前記テキストノートを除外して、前記スライド画像を抽出すること、
を特徴とする請求項１記載の画像処理装置。
【請求項４】
前記出力処理部は、前記出力処理として、前記原稿画像から抽出される前記テキストノートを、前記スライド画像抽出部により抽出されたスライド画像のテキストノートとして含む前記特定のプレゼンテーション資料作成ソフトウェアのデータファイルを生成することを特徴とする請求項３記載の画像処理装置。
【発明の詳細な説明】
【技術分野】
【０００１】
本発明は、画像処理装置に関するものである。
【背景技術】
【０００２】
ある画像形成装置では、複数のページ画像を１ページに集約して印刷された原稿から読み取られた原稿画像内のページ画像間の境界を検出し、検出した境界に基づいて、集約数（Ｎｉｎ１印刷のＮ）を特定している（例えば特許文献１参照）。
【先行技術文献】
【特許文献】
【０００３】
【特許文献１】特開２００４−３０４５４６号公報
【発明の概要】
【発明が解決しようとする課題】
【０００４】
スライド画像を生成する特定のプレゼンテーション資料作成ソフトウェアによって特定の印刷レイアウトでスライド画像などを印刷する場合、印刷物にスライド画像以外のオブジェクトが含まれることがあるため、画像読取によって得られた原稿画像から集約数などの印刷レイアウトを正確に特定することが困難である。
【０００５】
例えばマイクロソフト社製のパワーポイントでは、３ｉｎ１の配布資料印刷でスライド画像を印刷すると、１ページ内に、３つのスライド画像と、各スライド画像に関連付けてメモ記入用の罫線群とが含まれる印刷物が得られる。この印刷物には、１ページに、３つのスライド画像と３つの罫線群とが含まれるため、集約数が６であると誤って特定される可能性がある。
【０００６】
また、例えばマイクロソフト社製のパワーポイントでは、ノート印刷を行うと、１ページ内に、１つのスライド画像と、そのスライド画像に関連付けているノート（テキスト）とが含まれる印刷物が得られる。この印刷物には、１ページに、１つのスライド画像と１つのテキストとが含まれるため、集約数が２であると誤って特定される可能性がある。
【０００７】
本発明は、上記の問題に鑑みてなされたものであり、特定のプレゼンテーション資料作成ソフトウェアによって印刷された原稿の印刷レイアウトを正確に特定する画像処理装置を得ることを目的とする。
【課題を解決するための手段】
【０００８】
本発明に係る画像処理装置は、スライド画像を生成する特定のプレゼンテーション資料作成ソフトウェアの複数の印刷レイアウトを示すレイアウトデータに基づいて、画像読取装置により読み取られた原稿画像の印刷レイアウトを特定するレイアウト特定部と、特定された前記印刷レイアウトに従って、前記原稿画像内のスライド画像を抽出するスライド画像抽出部と、前記スライド画像抽出部により抽出されたスライド画像の出力処理として、抽出された前記スライド画像を含む前記特定のプレゼンテーション資料作成ソフトウェアのデータファイルの生成、または前記スライド画像の印刷を行う出力処理部とを備える。
【発明の効果】
【０００９】
本発明によれば、特定のプレゼンテーション資料作成ソフトウェアによって印刷された原稿の印刷レイアウトが正確に特定される。
【図面の簡単な説明】
【００１０】
【図１】図１は、本発明の実施の形態に係る画像処理装置を含む画像形成装置の構成例を示すブロック図である。
【図２】図２は、プレゼンテーション資料作成ソフトウェアとしてのマイクロソフト社製のパワーポイントの、１ｉｎ１の配布資料印刷の場合の印刷レイアウトを示す図である。
【図３】図３は、プレゼンテーション資料作成ソフトウェアとしてのマイクロソフト社製のパワーポイントの、２ｉｎ１の配布資料印刷の場合の印刷レイアウトを示す図である。
【図４】図４は、プレゼンテーション資料作成ソフトウェアとしてのマイクロソフト社製のパワーポイントの、３ｉｎ１の配布資料印刷の場合の印刷レイアウトを示す図である。
【図５】図５は、プレゼンテーション資料作成ソフトウェアとしてのマイクロソフト社製のパワーポイントのノート印刷の場合の印刷レイアウトを示す図である。
【発明を実施するための形態】
【００１１】
以下、図に基づいて本発明の実施の形態を説明する。
【００１２】
図１は、本発明の実施の形態に係る画像処理装置を含む画像形成装置の構成例を示すブロック図である。図１に示す画像形成装置１は、複写機であるが、スキャナー、複合機などでもよい。
【００１３】
この画像形成装置１は、印刷装置１１と、画像読取装置１２と、記憶装置１３と、画像処理装置１４と、表示装置１５と、入力装置１６とを備える。
【００１４】
印刷装置１１は、画像処理装置１４による各種画像処理後の画像データに基づいて原稿画像を、例えばＣＭＹＫ（シアン・マゼンタ・イエロー・ブラック）色のトナーを使用して電子写真プロセスで印刷する内部装置である。
【００１５】
また、画像読取装置１２は、原稿から原稿画像を光学的に読み取り、原稿画像の画像データをＲＧＢデータとして生成する内部装置である。
【００１６】
また、記憶装置１３は、フラッシュメモリーなどの、書き換え可能な不揮発性の記憶装置であり、各種データやプログラムを記憶している。記憶装置１３には、レイアウトデータ２１が格納されている。
【００１７】
レイアウトデータ２１は、後述のレイアウト特定部３２により使用されるデータであって、スライド画像を生成する特定のプレゼンテーション資料作成ソフトウェアの複数の印刷レイアウトを示すデータである。
【００１８】
レイアウトデータ２１は、各印刷レイアウトについて、ページ内での、１または複数のスライド画像の位置およびサイズを示す領域情報を含み、特定の印刷レイアウトについては、さらに、罫線群などの付属画像の位置およびサイズを示す領域情報、スライド画像には含まれておらずスライド画像に関連付けられているテキストノートの位置およびサイズを示す領域情報などを含む。
【００１９】
図２は、プレゼンテーション資料作成ソフトウェアとしてのマイクロソフト社製のパワーポイントの、１ｉｎ１の配布資料印刷の場合の印刷レイアウトを示す図である。この場合、１ページの原稿画像１０１内に、１つのスライド画像１１１が配置される。
【００２０】
図３は、プレゼンテーション資料作成ソフトウェアとしてのマイクロソフト社製のパワーポイントの、２ｉｎ１の配布資料印刷の場合の印刷レイアウトを示す図である。この場合、１ページの原稿画像１２１内に、２つのスライド画像１３１，１３２が縦に配列して配置される。
【００２１】
図４は、プレゼンテーション資料作成ソフトウェアとしてのマイクロソフト社製のパワーポイントの、３ｉｎ１の配布資料印刷の場合の印刷レイアウトを示す図である。この場合、１ページの原稿画像１４１内に、３つのスライド画像１５１〜１５３が縦に配列して配置され、さらに、各スライド画像１５１，１５２，１５３の横に、付属画像としての罫線群１５４〜１５６が配置される。
【００２２】
図５は、プレゼンテーション資料作成ソフトウェアとしてのマイクロソフト社製のパワーポイントのノート印刷の場合の印刷レイアウトを示す図である。この場合、１ページの原稿画像１６１内に、１つのスライド画像１７１が上方に配置され、さらに、下方に、そのスライドに関連付けられているテキストノート１７２が配置される。
【００２３】
また、画像処理装置１４は、画像読取装置１２などで生成された画像データに対して、各種画像処理を行う。
【００２４】
画像処理装置１４は、ＡＳＩＣ（Application Specific Integrated Circuit）やコンピューターで実現され、制御部３１、レイアウト特定部３２、スライド画像抽出部３３、および出力処理部３４を有する。
【００２５】
制御部３１は、画像読取装置１２などの内部装置を制御する処理部であって、画像読取装置１２に原稿画像の読取を実行させ、画像読取装置１２から原稿画像の画像データを取得する。
【００２６】
レイアウト特定部３２は、レイアウトデータ２１に基づいて、画像読取装置１２により読み取られた原稿画像の印刷レイアウトを特定する。
【００２７】
レイアウト特定部３２は、取得された画像データに基づく原稿画像内で、枠線、罫線などの線画、文字、写真（階調画像）などの各種のオブジェクトを検出し、レイアウトデータ２１の示す複数の印刷レイアウトの中から、検出したオブジェクトの位置、サイズおよび種別に一致する印刷レイアウトを特定する。
【００２８】
なお、レイアウト特定部３２は、原稿画像を２値化して得られる２値画像に基づいて、ラベリング処理などで線画および文字を検出するようにしてもよい。
【００２９】
また、レイアウト特定部３２は、原稿画像内で検出されたオブジェクトがある印刷レイアウトにより示される領域内にあり、その印刷レイアウトにより示される領域外の余白（ヘッダー部分およびフッター部分を除く）においてオブジェクトが検出されていない場合、原稿画像の印刷レイアウトがその印刷レイアウトであると判定するようにしてもよい。
【００３０】
スライド画像抽出部３３は、レイアウト特定部３２により特定された印刷レイアウトに従って、原稿画像内のスライド画像を抽出する。
【００３１】
例えば、レイアウトデータ２１が、特定のプレゼンテーション資料作成ソフトウェアにおいて特定の集約数の集約印刷が指定された場合の印刷レイアウトとして、特定の集約数と同数のスライド画像の領域情報と、スライド画像のそれぞれに関連付けられた特定の付属画像の領域情報とを含む印刷レイアウトを示す場合、スライド画像抽出部３３は、そのレイアウトデータ２１に基づいて原稿画像における付属画像を除外して、スライド画像を抽出する。
【００３２】
例えば、上述の特定のプレゼンテーション資料作成ソフトウェアがマイクロソフト社製のパワーポイントの、３ｉｎ１の配布資料印刷の場合（図４）、１ページ内に、３つのスライド画像１５１〜１５３が縦に配列され、各スライド画像１５１〜１５３の横に、横罫線の罫線群１５４〜１５６が配置される。レイアウトデータ２１では、この印刷レイアウトについて、各スライド画像１５１〜１５３の位置およびサイズ、並びに、各罫線群１５４〜１５６の位置およびサイズが示される。したがって、レイアウト特定部３２は、原稿画像内のオブジェクトとして検出される罫線群の位置およびサイズに基づいて、原稿画像が、６ｉｎ１の配布資料印刷ではなく、このような３ｉｎ１の配布資料印刷の原稿画像であると特定し、スライド画像抽出部３３は、レイアウト特定部３２により特定された印刷レイアウトに従って、原稿画像内の３つのスライド画像を抽出する。つまり、スライド画像抽出部３３は、上述の罫線群を（スライド画像として）抽出しない。
【００３３】
また、例えば、レイアウトデータ２１は、特定のプレゼンテーション資料作成ソフトウェアにおいて、スライド画像には含まれておらずスライド画像に関連付けられているテキストノートを、そのスライド画像とともに印刷するノート印刷の印刷レイアウトとして、スライド画像の領域情報と、スライド画像に関連付けられているテキストノートの領域情報とを含む印刷レイアウトを示す場合、スライド画像抽出部３３は、レイアウトデータに基づいて原稿画像におけるテキストノートを除外して、スライド画像を抽出する。
【００３４】
例えば、上述の特定のプレゼンテーション資料作成ソフトウェアがマイクロソフト社製のパワーポイントのノート印刷の場合（図５）、１ページ内の上方に、１つのスライド画像１７１が配置され、そのスライド画像１７１の直下にそのスライド画像１７１のテキストノート１７２が配置される。レイアウトデータ２１では、この印刷レイアウトについて、そのスライド画像の位置およびサイズ、並びに、そのテキストノートの配置可能領域の位置およびサイズが示される。２ｉｎ１の配布資料印刷の場合（図３）の印刷レイアウトにおける１ページ内の下方のスライド画像の位置およびサイズと、このテキストノートの配置可能領域の位置およびサイズは異なるため、レイアウト特定部３２は、原稿画像内のテキストの位置およびサイズに基づいて、原稿画像が、２ｉｎ１の配布資料印刷ではなく、このようなノート印刷の原稿画像であると特定し、スライド画像抽出部３３は、レイアウト特定部３２により特定された印刷レイアウトに従って、原稿画像内の１つのスライド画像を抽出する。つまり、スライド画像抽出部３３は、そのテキストを（スライド画像として）抽出しない。
【００３５】
なお、後述のように、出力処理部３４がこのテキストをテキストノートとして使用する場合には、スライド画像抽出部３３は、そのテキストをテキストノートとして抽出し、出力処理部３４に渡す。その際、スライド画像抽出部３３または出力処理部３４が、そのテキストの画像部分をＯＣＲ（Optical Character Recognition）技術でテキストデータに変換し、そのテキストデータをテキストノートに使用する。
【００３６】
出力処理部３４は、スライド画像抽出部３３により抽出されたスライド画像の出力処理を行う処理部である。例えば、出力処理部３４は、出力処理として、抽出されたスライド画像を含む特定のプレゼンテーション資料作成ソフトウェアのデータファイルを生成する。また、例えば、出力処理部３４は、出力処理として、印刷装置１１を使用して、そのスライド画像の印刷を行う。
【００３７】
さらに、上述のノート印刷の印刷物の場合において、出力処理として上述のデータファイルを作成するとき、出力処理部３４は、原稿画像から抽出されるテキストノートを、スライド画像抽出部３３により抽出されたスライド画像のテキストノートとして含む特定のプレゼンテーション資料作成ソフトウェアのデータファイルを生成するようにしてもよい。
【００３８】
なお、出力処理部３４が１つのスライド画像を１ページで印刷させるようにユーザーにより設定された場合、集約されて印刷されているスライド画像が拡大されて印刷されるため、制御部３１は、所定の高解像度で画像読取装置１２に原稿画像の読取を実行させる。
【００３９】
次に、上記画像処理装置１４の動作について説明する。
【００４０】
ユーザーは、例えば、特定のプレゼンテーション資料作成ソフトウェアで印刷された資料のスライド画像を大きく印刷したい場合や、そのような資料から元のデータファイルを復元してスライド画像を大きく表示させたい場合に、そのような処理の設定を画像形成装置１に対して行い、その資料を原稿として画像読取装置１２にセットし、そのような処理を実行させるユーザー操作を入力装置１６に対して行う。
【００４１】
そのようなユーザー操作があると、画像処理装置１４では、制御部３１は、画像読取装置１２を使用して、その原稿画像の読取を実行し、その画像データを取得する。
【００４２】
そして、レイアウト特定部３２は、レイアウトデータ２１を参照して、取得された画像データに基づく原稿画像の印刷レイアウトを特定する。
【００４３】
レイアウト特定部３２により原稿画像の印刷レイアウトが特定されると、スライド画像抽出部３３は、レイアウトデータ２１を参照して、特定された印刷レイアウトのスライド画像の領域情報に基づいて、スライド画像を抽出する。つまり、レイアウトデータ２１において指定されているスライド画像のサイズでスライド画像が抽出される。そのため、原稿画像内のスライド画像に枠線がなくても、正確なサイズでスライド画像が抽出される。
【００４４】
そして、出力処理部３４は、抽出されたスライド画像を使用して、ユーザーにより指定された出力処理（特定ソフトウェアのファイル形式のデータファイル生成、スライド画像の印刷など）を行う。
【００４５】
以上のように、上記実施の形態によれば、レイアウト特定部３２は、スライド画像を生成する特定のプレゼンテーション資料作成ソフトウェアの複数の印刷レイアウトを示すレイアウトデータ２１に基づいて、画像読取装置１２により読み取られた原稿画像の印刷レイアウトを特定する。そして、スライド画像抽出部３３は、特定された印刷レイアウトに従って、原稿画像内のスライド画像を抽出し、出力処理部３４は、スライド画像抽出部３３により抽出されたスライド画像の出力処理として、抽出されたスライド画像を含む特定のプレゼンテーション資料作成ソフトウェアのデータファイルの生成、またはスライド画像の印刷を行う。
【００４６】
これにより、特定のプレゼンテーション資料作成ソフトウェアによって印刷された原稿の印刷レイアウトが正確に特定される。
【００４７】
なお、上述の実施の形態は、本発明の好適な例であるが、本発明は、これらに限定されるものではなく、本発明の要旨を逸脱しない範囲において、種々の変形、変更が可能である。
【００４８】
例えば、上記実施の形態では、プレゼンテーション資料作成ソフトウェアの一例として、マイクロソフト社製のパワーポイントを挙げているが、マイクロソフト社製のパワーポイントに互換性のあるソフトウェア、その他のプレゼンテーション資料作成ソフトウェアについても、そのソフトウェアの印刷レイアウトに対応したレイアウトデータ２１を作成することで、同様の処理が可能である。
【産業上の利用可能性】
【００４９】
本発明は、例えば、画像形成装置に適用可能である。
【符号の説明】
【００５０】
１２  画像読取装置
１４  画像処理装置
２１  レイアウトデータ
３２  レイアウト特定部
３３  スライド画像抽出部
３４  出力処理部
【図１】
2016139869.tif 000003
【図２】
2016139869.tif 000004
【図３】
2016139869.tif 000005
【図４】
2016139869.tif 000006
【図５】
2016139869.tif 000007